(57)【要約】      （修正有）【課題】マーキング作業を正確かつ容易に行えるパイプ差し込み長さマーキング用治具を提供する。【解決手段】回動軸１１により開閉回動自在に連結された一対の作動片２，３と、パイプ９の端部１２の外面１２ａに差し込み確認用のマークを記入するためのマーキングペン４と、一方の作動片２の先端側に、マーキングペン４のペン先挿通孔１３を有する状態で設けられたマーキングペン保持部５と、他方の作動片３の先端側にパイプの端部１２を支持するよう設けられたパイプ支持部６と、一方の作動片７の基端側および他方の作動片８の基端側に、一対の作動片２，３の先端側を閉じる方向に回動するようそれぞれ把持可能に設けられ、パイプの端部１２をパイプ支持部６およびマーキングペン保持部５間に挟持させうる柄部７，８と、パイプの端面１２からの差し込み長さを決定するパイプ差し込み長さ決定手段２０とを備えている。【選択図】図２
2008178936.tif 000002
【特許請求の範囲】
【請求項１】
回動軸により開閉回動自在に連結された一対の作動片と、
継手に差し込まれるパイプの端部の外面に差し込み確認用のマークを記入するためのマーキングペンと、
一方の作動片の先端側に、マーキングペンのペン先挿通孔を有する状態で設けられたマーキングペン保持部と、
他方の作動片の先端側にパイプの端部を支持するよう設けられたパイプ支持部と、
一方の作動片の基端側および他方の作動片の基端側に、一対の作動片の先端側を閉じる方向に回動するようそれぞれ把持可能に設けられ、押し動作によって、パイプの端部をパイプ支持部およびマーキングペン保持部間に挟持させうる柄部と、
パイプの端面からの差し込み長さを決定するパイプ差し込み長さ決定手段とを備えたことを特徴とするパイプ差し込み長さマーキング用治具。
【請求項２】
前記パイプ支持部は、パイプの端部が支持可能に載置される一対のローラを他方の作動片の長手方向とは直角な水平方向に軸心が通った状態で有し、また、前記パイプ支持部は、パイプの端部が安定に載置されるよう一対のローラ間に凹所を有し、
前記マーキングペン保持部は、マーキングペンのペン先がペン先挿通孔を貫通した状態で、マーキングペンの柄を保持する筒体を有し、前記筒体は、一方の作動片の先端側の上面に、前記ペン先挿通孔に連通するよう立設されており、
また、一方の作動片の基端側の柄部は、片手で一対の作動片を押圧するときに手が滑らないよう、かつ、一対の作動片を押し易くするため上面に凹所を有し、
また、前記パイプ差し込み長さ決定手段は、他方の作動片の先端側におけるパイプ支持部の直下で、前記水平方向にスライド可能に設けられ、パイプの端面からの差し込み長さに合わせてスライドさせうるパイプ差し込み長さ決定部材と、この長さ決定部材のスライド移動を差し込み長さに合わせて規制する規制部材とから構成され、さらに、前記パイプ差し込み長さ決定部材は、平板の板体の一端を上向きに直角に折り曲げて構成されており、一対のローラに支持されたパイプの端部における端面が当接するストッパ片と、水平片とを有し、この水平片は鋸歯状波部を長手方向に沿った両端に有する一方、前記規制部材は、各鋸歯状波部に噛合する単一の山形歯を他方の作動片の先端側に有する請求項１に記載のパイプ差し込み長さマーキング用治具。
【発明の詳細な説明】
【技術分野】
【０００１】
この発明は、継手に対するパイプの差し込み作業において、パイプを切断した後、パイプ外面で、継手に対するパイプの差し込み長さに相当する位置にパイプ外面全周にわたって挿入確認用の標線（マーク）を記入するために用いられるパイプ差し込み長さマーキング用治具に関するものである。
【背景技術】
【０００２】
給水と給湯の配管工事に際して、給水主管と、給湯設備からの給湯主管とを屋内に引き込んで、これら給水主管および給湯主管を給水用の配管用ヘッダーおよび給湯用の配管用ヘッダーにそれぞれ接続し、これら各ヘッダーと、例えば洗面所の湯水混合栓の上流に位置する各止水栓とを接続する水供給管、湯供給管として、熱に強く、変形しにくく、錆びることがないなど優れた耐久性を備えた樹脂パイプを蛇腹状の鞘管に挿通して成るものが使用されている。そして、水漏れ等の場合に鞘管はそのままにして前記樹脂パイプの両端の接続を解除するだけで鞘管内から前記樹脂パイプを取り出し、入れ替えできる点で利便性がある。
【０００３】
そして、樹脂パイプ用継手として、従来から図５、図６に示すように、継手本体７１、袋ナット７２および割リング７３よりなるものがある。樹脂パイプＰの接続手順は以下の通りである。
【０００４】
（１）まず最初に、切断された樹脂パイプＰの継手本体７１への差込量Ｌを確認するため、樹脂パイプＰの端面ａより差込量Ｌだけ離れた位置に油性ペン等で樹脂パイプ外面全周にわたり、マーク７４が作業者によって記入される〔図５（Ａ）参照〕。
（２）工場出荷の時点で組付けられた前記継手の継手本体７１から袋ナット７２、割リング７３を一旦取り外し、袋ナット７２、割リング７３の順でこれらを樹脂パイプＰに挿通する〔図５（Ｂ）参照〕。
（３）継手本体７１へ樹脂パイプＰを確実に奥まで差し込む〔図５（Ｃ）参照〕。
（４）割リング７３を継手本体７１に突き当たるまで押しつけ、割リング７３と前記マーク７４の位置が一致することを確認する〔図６（Ａ）参照〕。
（５）袋ナット端部７２ａより、割リング７３の先端７３ａが約１ｍｍ突出するまで継手本体７１に袋ナット７２を締め付ける〔図６（Ｂ）参照〕。この場合、工具を使って袋ナット７２を締め付けるが、割リング７３が樹脂パイプＰから外れないよう袋ナット７２を三回転程回す必要がある。
（６）締め付け後、袋ナット７２と継手本体７１にマーク７５を描く〔図６（Ｃ）参照〕。
【発明の開示】
【発明が解決しようとする課題】
【０００５】
ところで、前記差込量Ｌとして、規定された長さを差し込むことが品質管理上重要であるけれども、樹脂パイプＰの端面ａより規定された位置を定規ではかり、この位置に油性ペンを用いて前記マーク７４を記入することから、樹脂パイプＰに定規を当てて樹脂パイプＰの円周外面に沿って正確にマーキングする作業は難しく、また、面倒である。そのため、前記定規を使わずに作業者の目視やかんに頼る場合が多く、結果として品質管理上問題が生じることになる。
【０００６】
この発明は、上述の事柄に留意してなされたもので、その目的は、継手に対するパイプの差し込み長さを確保するためのマーキング作業を正確かつ容易に行えるパイプ差し込み長さマーキング用治具を提供することである。
【課題を解決するための手段】
【０００７】
上記目的を達成するために、この発明のパイプ差し込み長さマーキング用治具は、
回動軸により開閉回動自在に連結された一対の作動片と、
継手に差し込まれるパイプの端部の外面に差し込み確認用のマークを記入するためのマーキングペンと、
一方の作動片の先端側に、マーキングペンのペン先挿通孔を有する状態で設けられたマーキングペン保持部と、
他方の作動片の先端側にパイプの端部を支持するよう設けられたパイプ支持部と、
一方の作動片の基端側および他方の作動片の基端側に、一対の作動片の先端側を閉じる方向に回動するようそれぞれ把持可能に設けられ、押し動作によって、パイプの端部をパイプ支持部およびマーキングペン保持部間に挟持させうる柄部と、
パイプの端面からの差し込み長さを決定するパイプ差し込み長さ決定手段とを備えたことを特徴としている。
【発明の効果】
【０００８】
固定されたパイプの端部を、パイプ支持部およびマーキングペン保持部間に挟持しながら片手で一対の作動片を回転させることによってパイプの端面から規定の差し込み長さに相当する位置に全周にわたって差し込み確認用のマークを正確に記入することができるとともに、マーキングの作業の簡便化も図れる。  
また、パイプの端部をパイプ支持部およびマーキングペン保持部間に挟持した状態でマーキングを施すので、すなわち、この発明のパイプ差し込み長さマーキング用治具は挟み式であるので、マークを正確に記入することができることができる上に、通常の樹脂パイプとは構成が異なる三層パイプなどの規定外のパイプ径を有するパイプにも使用でき、汎用性を有する。
【発明を実施するための最良の形態】
【０００９】
以下、この発明の実施の形態を、図を参照しながら説明する。なお、それによってこの発明は限定されるものではない。
【００１０】
図１〜図４は、この発明の一つの実施の形態を示す。
図１〜図４において、パイプ差し込み長さマーキング用治具１は、一対の作動片２，３と、マーキングペン４と、マーキングペン保持部５と、パイプ支持部６と、一対の柄部７，８と、パイプ９の端面１０からの差し込み長さを決定するパイプ差し込み長さ決定手段とを主として備えている。
一対の作動片２，３は、回動軸１１により開閉回動自在に連結されている。この実施の形態では、一方の作動片２は他方の作動片３に対して可動するよう構成されている。マーキングペン４は、継手（図示せず）に差し込まれるパイプの端部１２の外面１２ａに差し込み確認用のマーク（図示せず）を記入するためのものである。マーキングペン保持部５は、一方の作動片２の先端側に、マーキングペン４のペン先挿通孔１３を有する状態で設けられている。パイプ支持部６は、他方の作動片３の先端側にパイプの端部１２を支持するよう設けられている。柄部７は、一方の作動片２の基端側に設けられ、押し動作によって、パイプの端部１２をパイプ支持部６およびマーキングペン保持部５間に挟持させるためのものである。柄部８は、他方の作動片３の基端側に設けられている。
【００１１】
さらに、前記パイプ支持部６は、パイプの端部１２が支持可能に載置される一対の回転可能なローラ１４，１４を他方の作動片３の長手方向（両矢印Ｂで示す方向）とは直角な水平方向（両矢印Ｃで示す方向）に軸心ｉが沿った状態で有する。
また、前記パイプ支持部６は、パイプの端部１２が安定に載置されるよう一対のローラ１４，１４間に円弧状湾曲面によって形成される一対の凹所１５を他方の作動片３の先端側の上面に有する一方、前記マーキングペン保持部５は、一方の作動片２の先端側の下面に前記一対の凹所１５，１５に対向する形で円弧状湾曲面によって形成される凸状の湾曲面１６，１６を有する。
前記マーキングペン保持部５は、マーキングペン４のペン先４ａが一方の作動片２の先端側に形成されたペン先挿通孔１３（図４参照）を貫通した状態で、マーキングペン４の柄４ｂを保持する筒体１７を有し、この筒体１７は、一方の作動片２の先端側の上面Ｍに、前記ペン先挿通孔１３に連通するよう立設されている。４ｂは、筒体１７に挿通されたマーキングペン４を筒体１７内に強固に固定するための締付けビスである。
一方の作動片２の基端側の柄部７は、片手で一対の作動片２，３を押圧するときに手が滑らないよう、かつ、一対の作動片２，３を押し易くするため上面ｍに凹所１８を有する。
前記パイプ差し込み長さ決定手段は、他方の作動片３の先端側におけるパイプ支持部６の直下で、前記水平方向（Ｃ方向）にスライド可能に設けられ、パイプの端面１２からの差し込み長さに合わせてスライドさせうるパイプ差し込み長さ決定部材２０と、この長さ決定部材２０のスライド移動を差し込み長さに合わせて規制する一対の規制部材２１，２１とから構成されている。
前記パイプ差し込み長さ決定部材２０は、平板の板体の一端を上向きに直角に折り曲げて構成されている。すなわち、前記パイプ差し込み長さ決定部材２０は、一対のローラ１４，１４に支持されたパイプの端部１２における端面１０が当接するストッパ片２２と、長尺の水平片２３とを有し、この水平片２３は一直線上に等しいピッチ（既知）間隔でＣ方向に設けられた複数の鋸歯部分ａより構成される鋸歯状波部２４，２４を長手方向に沿った両端に有するとともに、他方の作動片３の先端側に形成された一対のスライド用の切欠Ｒ，Ｒを通して設けられている一方、規制部材２１は、鋸歯状波部２４，２４に噛合する単一の山形歯２５，２５を他方の作動片３の先端側に有している。
【００１２】
而して、パイプ差し込み長さマーキング用治具１を利用して、継手に対するパイプ９の差し込み長さに相当する位置にパイプ外面１２ａの全周にわたって挿入確認用の標線（マーク）を記入するマーキング作業を行うにあたり、まず最初に、マーキングペン４のペン先４ａおよびストッパ片２２間の長さが当該パイプ９の差し込み長さに相当する長さになるよう、パイプ差し込み長さ決定部材２０をスライドさせる。図３におけるＸは、ストッパ片２２の内面２２ａおよび鋸歯状波部２４の特定の位置にある鋸歯部分ａ1 間の長さを示している。続いて、固定状態のパイプの端部１２の端面１０をストッパ片２２の内面２２ａに当接させた状態で、パイプの端部１２をパイプ支持部６の一対のローラ１４，１４間に載置する。次に、片手で柄部７，８を持ちながら柄部８に対する柄部７の押し動作によって、図４に示すように、パイプの端部１２をパイプ支持部６の一対の凹所１５，１５およびマーキングペン保持部５の凸状の湾曲面１６，１６間に挟持させる。なお、図４において、二点鎖線で示すパイプ９’はパイプ９よりも小径のものを示す。
そして、パイプの端部１２を挟みながらパイプの端部１２のまわりを一対の作動片２，３が片手で回転されることによってパイプの端部１２の外面１２ａに差し込み確認用のマークを記入する。
このように、鋸歯部分ａ1 を山形歯２５に噛合させることでパイプ９の差し込み長さを正確に決定しているので、差し込み確認用のマークも正確に記入することができる。ここで、一対の作動片２，３の回転は、マーキングペン４のペン先４ａが正しくパイプの端部１２の外面１２ａに接するようマーキングペン４が筒体１７によって保持されておれば、通常は一回の回転で全周にわたるマークを正確に記入することができる。その後、一対の作動片２，３による挟持状態を解除することによりマーキング作業を完了する。
【００１３】
なお、同じ太さのパイプ９でもパイプ９の差し込み長さＸに変更がある場合は、パイプ差し込み長さ決定部材２０をスライドさせて、鋸歯状波部２４の前記鋸歯部分ａ1 とは別の位置にある鋸歯部分ａを山形歯２５に噛合させることで対処できる。
また、パイプの端部をパイプ支持部およびマーキングペン保持部間に挟持した状態でマーキングを施すので、すなわち、この発明のパイプ差し込み長さマーキング用治具は挟み式であるので、マークを正確に記入することができることができる上に、通常の樹脂パイプ（例えば架橋ポリエチレンパイプ）とは構成が異なる三層パイプなどの規定外のパイプ外径を有するパイプにも使用でき、汎用性を有する。前記樹脂パイプは、例えば外径が１３ｍｍ，１７ｍｍ，２１ｍｍ，２７ｍｍの４種類がありメーカーで統一されているが、三層パイプは外径がメーカーによって１６ｍｍ，２０ｍｍ，２６ｍｍとバラツキがあり、統一されていない。  
【図面の簡単な説明】
【００１４】
【図１】この発明の一つの実施の形態におけるパイプの挟持状態を示す斜視図である。
【図２】上記実施の形態におけるマーキング作業手順を示す斜視図である。
【図３】上記実施の形態で用いたパイプ差し込み長さ決定手段を示す斜視図である。
【図４】上記実施の形態において、互いに異なる径を有するパイプの挟持状態を示す側面図である。
【図５】継手に対するパイプの差し込み作業の前半を説明するための図である。
【図６】継手に対するパイプの差し込み作業の後半を説明するための図である。
【符号の説明】
【００１５】
１          パイプ差し込み長さマーキング用治具
２，３      一対の作動片
４          マーキングペン
５          マーキングペン保持部
６          パイプ支持部
７，８      一対の柄部
９          パイプ
１０        端面
１１        回動軸
１２        パイプの端部
１２ａ      外面
１３        ペン先挿通孔
２０，２１  パイプ差し込み長さ決定手段
【図１】
2008178936.tif 000003
【図２】
2008178936.tif 000004
【図３】
2008178936.tif 000005
【図４】
2008178936.tif 000006
【図５】
2008178936.tif 000007
【図６】
2008178936.tif 000008